(57)【要約】１つの変調電流を発生する１つのレーザードライバ回路を開示する。１つの電流ミラー回路は、１つの基準電流に応答して変調電流を発生する。電流ミラー回路は、１つの出力信号を、電流ミラー回路を形成する複数のトランジスタの複数のゲートに供給する１つの演算増幅器を有する。
2005532764.tif 000002
【特許請求の範囲】
【請求項１】
１つのレーザードライバ回路であって、
１つの変調電流を１つのレーザー装置に供給するのに適する１つの出力段と、
１つの基準電流に応答して前記変調電流を発生する１つの電流ミラー回路と
を備え、前記電流ミラー回路が、
前記基準電流を受信する１つの第１トランジスタと、
前記第１トランジスタに結合されて前記変調電流を発生する１つの第２トランジスタと、
複数の前記第１及び第２トランジスタの一方の１つのゲート端子に結合された１つの出力端子を具える１つの演算増幅器と
を備える、１つのレーザードライバ回路。
【請求項２】
複数の前記第１及び第２トランジスタの複数のゲート端子が１つのキャパシタに結合される、請求項１に記載のレーザードライバ回路。
【請求項３】
前記演算増幅器が、
前記第１トランジスタの１つのソース端子及び１つのドレイン端子の一方に結合された１つの第１入力端子と、
前記第２トランジスタの１つのソース端子及び１つのドレイン端子の一方に結合された１つの第２入力端子と
を更に備える、請求項１に記載のレーザードライバ回路。
【請求項４】
複数の前記第１及び第２トランジスタの複数のソース‐ドレイン電圧が、前記演算増幅器の１つの出力に応答してほぼ一致する、請求項１に記載のレーザードライバ回路。
【請求項５】
１つのシステムであって、
１つの並列データ信号に応答して１つの直列データ信号を発生する１つシリアライザと、
１つの光伝送媒体に結合されて、前記直列データ信号及び１つの変調電流に応答して１つの光信号を前記光伝送媒体に送信するのに適する１つのレーザー装置と、
１つの基準電流に応答して前記変調電流を発生する１つのレーザードライバ回路と
を備え、前記レーザードライバ回路が、
前記基準電流を受信する１つの第１トランジスタと、
前記第１トランジスタに結合されて前記変調電流を発生する１つの第２トランジスタと、
複数の前記第１及び第２トランジスタの一方の１つのゲート端子に結合された１つの出力端子を具える１つの演算増幅器と
を備える、システム。
【請求項６】
前記並列データ信号を発生する１つのＳＯＮＥＴフレーマを更に備える、請求項５に記載のシステム。
【請求項７】
前記ＳＯＮＥＴフレーマに結合された１つのスイッチファブリックを更に備える、請求項６に記載のシステム。
【請求項８】
前記並列データ信号を１つの媒体独立インターフェースで発生する１つのイーサネットＭＡＣを更に備える、請求項５に記載のシステム。
【請求項９】
前記イーサネットＭＡＣに結合された１つの多重化データバスを更に備える、請求項８に記載のシステム。
【請求項１０】
前記イーサネットＭＡＣに結合された１つのスイッチファブリックを更に備える、請求項８に記載のシステム。
【請求項１１】
複数の前記第１及び第２トランジスタの複数のゲート端子が１つのキャパシタに結合されている、請求項５に記載のシステム。
【請求項１２】
前記演算増幅器が、
前記第１トランジスタの１つのソース端子及び１つのドレイン端子の一方に結合された１つの第１入力端子と、
前記第２トランジスタの１つのソース端子及び１つのドレイン端子の一方に結合された１つの第２入力端子と
を更に備える、請求項５に記載のシステム。
【請求項１３】
複数の前記第１及び第２トランジスタの複数のソース‐ドレイン電圧が、前記演算増幅器の１つの出力に応答してほぼ一致する、請求項５に記載のシステム。
【請求項１４】
１つの方法であって、
１つの基準電流を１つの電流ミラー回路の１つの第１トランジスタで受信する段階と、
前記基準電流に応答して前記電流ミラー回路の１つの第２トランジスタから１つの変調電流を発生する段階と、
１つの演算増幅器の１つの出力信号を複数の前記第１及び第２トランジスタの一方の１つのゲート端子に供給する段階と、
１つのデータ信号及び前記変調電流に応答して１つの光伝送媒体内の１つの光信号を変調する段階と
を備える、方法。
【請求項１５】
１つのキャパシタを複数の前記第１及び第２トランジスタの複数のゲート端子に結合する段階を更に備える、請求項１４に記載の方法。
【請求項１６】
前記演算増幅器への１つの第１入力を前記第１トランジスタの１つのソース端子及び１つのドレイン端子の一方から発生する段階と、
前記演算増幅器への１つの第２入力を前記第２トランジスタの１つのソース端子及び１つのドレイン端子の一方から発生する段階と
を更に備える、請求項１４に記載の方法。
【請求項１７】
前記演算増幅器の前記出力信号に応答してほぼ一致した複数の前記第１及び第２トランジスタの複数のソース‐ドレイン電圧を維持する、請求項１４に記載の方法。
【発明の詳細な説明】
【技術分野】
【０００１】
本願明細書において開示された内容は、複数のデータ通信システムに関する。特に、本願明細書において開示された内容は、１つの光伝送媒体における複数のデータの送信に関する。
【背景技術】
【０００２】
光ファイバーケーブルのような１つの光伝送媒体における複数のデータの送信は、ＩＥＥＥ‐Ｐ８０２．３ａｅと、国際電気通信連合（ＩＴＵ）により刊行された同期光ネットワーク／同期デジタルハイアラーキ（ＳＯＮＥＴ／ＳＤＨ）とで述べる複数のデータ伝送規格に従って１０ギガビット／秒及びそれを超える複数のデータ速度における通信を使用可能にしている。複数のデータを光伝送媒体内に送信するため、１つのレーザー装置が、波分割多重化（ＷＤＭ）を用いて１つのデータ信号に応答して１つの光信号を典型的に変調する。
【発明の開示】
【発明が解決しようとする課題】
【０００３】
図１は、１つの変調電流６０を１つのレーザー装置５８に供給する１つの従来技術のレーザードライバ回路５０を示す１つの概略図である。レーザー装置回路を１つの単独の相補型金属酸化半導体（ＣＭＯＳ）装置内に形成できる。レーザー装置５８は１つの変調電流６０を受信して１つの光伝送媒体内への１つの光信号６２の送信を付勢する。また、レーザー装置５８は１つのデータ信号に応答して光信号を典型的に変調する。レーザードライバ回路は、例えば、１つの外部抵抗にわたって適用された１つの制御電源により発生された１つの基準電流５２を受信する。１つのダイオードに結合された電界効果トランジスタ（ＦＥＴ）５４及びＦＥＴ５６は１つの電流ミラーを形成して、入力基準電流５２の大きさにほぼ比例する１つの大きさの変調電流６０を発生する。このような１つのＣＭＯＳ装置内の複数の短チャネル長は複数のチャネル長変調効果を導入するおそれがあり、これにより、出力変調電流６０に非線形性が生じる（例えば、変調電流６０に対する基準電流５２の比率に作用する）。従って、１つの光伝送媒体における高データ速度通信の場合、変調電流６０の結果として生じる大きさを充分正確に発生できないかもしれない。
【発明を実施するための最良の形態】
【０００４】
本発明の非限定的かつ非網羅的な複数の実施形態を以下の複数の図面を参照して説明する。ここでは、他に特に規定がなければ、様々な複数の図面中、複数の同一参照番号は、複数の同様な部分を示す。
【０００５】
この明細書を通して「一実施形態」を参照するとは、実施形態と関連して述べた１つの特別な特徴、構造または特性が本発明の少なくとも１つの実施形態内に含まれているということを意味する。従って、この明細書を通して様々な複数の箇所において現れる「一実施形態では」という言葉遣いは、必ずしもすべて同じ実施形態を参照するとは限らない。更に、複数の特別な特徴、構造または特性を１つ以上の実施形態に組み合わせることができる。
【０００６】
ここで述べるような１つの「データバス」は、複数の装置間で複数のデータを送信する回路に関する。ここで述べるような１つの「多重化データバス」は、多重化データバスに結合された２つ以上の装置間で複数のデータを送信できる１つのデータバスに関する。１つの多重化データバスは、装置と関連する１つのアドレス、または、装置が結合された多重化データバス上の１つの位置に従って複数のデータメッセージを、多重化データバスに結合された１つの装置に送信できる。しかし、このことは１つの多重化データバスの単なる一例であり、この点で、本発明の複数の実施形態は限定されない。
【０００７】
ここで述べるような１つの「光伝送媒体」は、１つのデータ信号により変調され、かつ、光信号を復調することにより復元可能な１つの光信号の光エネルギーを伝送できる１つの伝送媒体に関する。例えば、１つの光伝送媒体は、１つの送信点と１つの受信点との間に結合された光ファイバーケーブルを含むことができる。しかし、このことは１つの光伝送媒体の単なる一例であり、この点で、本発明の複数の実施形態は限定されない。
【０００８】
ここで述べるような１つの「レーザードライバ回路」は、１つの光伝送媒体内に１つの信号を送信するのに用いられる１つのレーザー装置に出力を供給する１つの回路に関する。例えば、１つのレーザードライバ回路は、１つの光信号を変調するのに用いられる１つのレーザー装置に１つの「変調電流」を供給できる。しかし、このことは１つのレーザードライバ回路の単なる一例であり、これらの点で、本発明の複数の実施形態は限定されない。
【０００９】
ここで述べるような１つの「演算増幅器」は、複数の入力端子に供給された１つの差分信号に応答して１つの出力信号を１つの出力端子で発生する１つの回路または装置に関する。例えば、１つの演算増幅器は、複数の反転及び非反転入力端子に供給された１つの差分電圧の１つのゲインに従って１つの出力電圧を出力端子で発生できる。しかし、このことは１つの演算増幅器の単なる一例であり、この点で、本発明の複数の実施形態は限定されない。
【００１０】
ここで述べるような１つの「電流ミラー回路」は、１つの入力電流に応答して１つの出力電流を発生する１つの回路に関する。例えば、１つの電流ミラー回路は、１つの入力電流の大きさにほぼ比例する１つの大きさを有する１つの出力電流を発生できる。しかし、このことは１つの電流ミラー回路の単なる一例であり、これらの点で、本発明の複数の実施形態は限定されない。
【００１１】
手短に言うと、本発明の一実施形態は、１つの変調電流を発生する１つのレーザードライバ回路に関する。１つの電流ミラー回路は、１つの基準電流に応答して変調電流を発生できる。電流ミラー回路は、この電流ミラー回路を形成する複数のトランジスタの複数のゲートに１つの出力信号を供給する１つの演算増幅器を含むことができる。しかし、このことは、単なる１つの例示とする実施形態であり、これらの点で、本発明のその他の複数の実施形態は限定されない。
【００１２】
図２は、本発明の一実施形態により１つの光伝送媒体に複数のデータを送信し、この光伝送媒体から複数のデータを受信する１つのシステムを示す１つの概略図である。１つの光トランシーバ１０２は、光ファイバーケーブルのような１つの光伝送媒体において複数の光信号１１０または１１２を送信または受信できる。光トランシーバ１０２は、例えば、波分割多重化波長分割多重化（ＷＤＭ）または多振幅信号送信（ＭＡＳ）のようないずれかの光データ伝送形態に従って送信信号１１０を変調でき、あるいは、受信信号１１２を復調できる。例えば、光トランシーバ１０２の１つの送信器部分（図示せず）は、複数の「経路」の複数のデータを光伝送媒体に送信するＷＤＭを用いることができる。
【００１３】
１つの物理媒体依存（ＰＭＤ）部分１０４は、受信した光信号１１２に応答して光トランシーバ１０２から１つの電気信号を受信し、かつ調整する１つのトランスインピーダンス増幅器（ＴＩＡ）（図示せず）及び／または制限増幅器（ＬＩＡ）（図示せず）のような回路を具えることができる。また、ＰＭＤ部分１０４は、１つの光信号を送信する１つのレーザードライバ回路（図示せず）からの出力を光トランシーバ１０２の１つのレーザー装置（図示せず）に供給することもできる。１つの物理媒体接続（ＰＭＡ）部分１０６は、ＰＭＤ部分１０４から受信された１つの調整信号から複数のデータを回復するため、クロック及びデータ回復回路（図示せず）及び逆多重化回路（図示せず）を含むことができる。また、ＰＭＡ部分１０６は、複数のデータを複数のデータ経路でＰＭＤ部分１０４に送信する多重化回路（図示せず）と、１つの層２部分１０８からの１つの並列データ信号を順番に並べ、クロック及びデータ回復回路により供給された１つの直列データ信号に基づいて１つの並列データ信号を層２部分１０８に供給する１つのシリアライザ／デシリアライザ（Ｓｅｒｄｅｓ）とを含むことができる。
【００１４】
一実施形態によれば、層２部分１０８は、ＩＥＥＥ‐Ｐ．８０２．３ａｅ，第４６条で規定されたような１つの媒体独立インターフェース（ＭＩＩ）でＰＭＡ部分１０６に結合された１つの媒体アクセス制御（ＭＡＣ）装置を含むことができる。他の複数の実施形態では、層２部分１０８は、国際電気通信連合（ＩＴＵ）により刊行された同期光ネットワーク／同期デジタルハイアラーキ（ＳＯＮＥＴ／ＳＤＨ）標準の一種類に従って複数のデータを送信し、受信するため、順方向誤り訂正ロジック及び１つのフレーマを含むことができる。しかし、これらは、１つの光伝送媒体に送信する１つの並列データ信号を発生できる複数の層２装置の単なる複数例であり、これらの点で、本発明の複数の実施形態は限定されない。
【００１５】
また、層２部分１０８を、１つの処理プラットフォーム上のその他の複数の装置と通信するいくつかの入力／出力（Ｉ／Ｏ）システム（図示せず）のいずれかに結合できる。このような１つのＩ／Ｏシステムは、例えば、１つの処理装置または１つのマルチポートスイッチファブリックに結合された１つの多重化データバスを含むことができる。また、層２部分１０８を１つのパケット分類装置により１つのマルチポートスイッチファブリックに結合できる。しかし、これらは、１つの層２装置に結合できる１つのＩ／Ｏシステムの単なる複数例であり、これらの点で、本発明の複数の実施形態は限定されない。
【００１６】
また、層２装置１０８を１つのバックプレーンインターフェース（図示せず）により１つの印刷回路基板にわたってＰＭＡ部分１０６に結合できる。このような１つのバックプレーンインターフェースは、ＩＥＥＥ‐Ｐ．８０２．３ａｅ，第４７条で規定されたような１つの１０ギガビットイーサネット接続ユニットインターフェース（ＸＡＵＩ）を具える複数の装置を含むことができる。その他の複数の実施形態では、このような１つのバックプレーンインターフェースは、オプティカルネットワーキングフォーラム（ＯＩＦ）により規定されたようなシステムパケットインターフェース（ＳＰＩ）のいくつかの種類のいずれか１つを含むことができる。しかし、これらは、１つの層２装置を１つのＰＭＡ部分に結合するための１つのバックプレーンインターフェースの単なる複数例であり、これらの点で、本発明の複数の実施形態は限定されない。
【００１７】
図３は、図２に示す装置の一実施形態により１つの光伝送媒体に複数のデータを送信し、この光伝送媒体から複数のデータを受信する１つのシステム２００を示す１つの概略図である。１つの光トランシーバ２０２は、１つの光信号２１０を１つの光伝送媒体に送信する１つのレーザー装置２０８と、光伝送媒体から１つの光信号２１２を受信する１つの光検出器部分２１４とを含む。光検出器部分２１４は、受信した光信号２１２を１つ以上の電気信号に変換して１つのＴＩＡ／ＬＩＡ回路２２０に供給する１つ以上のフォトダイオード（図示せず）を含むことができる。１つのレーザードライバ回路２２２は、１つのＰＭＡ部分からの１つのデータ信号に応答して１つの変調電流２１６を変調できる。そして、１つのレーザー装置２０８は、変調電流２１６に応答して、送信する光信号２１０を変調し、付勢できる。
【００１８】
図４は、図３に示すレーザードライバ回路２２２の一実施形態による１つのレーザードライバ回路３００を示す１つの概略図である。レーザードライバ回路３００を、１つの単独の相補型金属酸化半導体（ＣＭＯＳ）装置内に形成できる。レーザー装置３０８は、１つの変調電流３１６に応答して１つの光伝送媒体への１つの光信号３２４を変調できる。変調電流３１６を、１つのデータ信号３２８に応答して複数のＦＥＴ３３０，３３２により切り換えることができる。レーザードライバ回路３００は、変調電流３１６を１つの所望の電流強度でレーザー装置に供給する１つの電界効果トランジスタ（ＦＥＴ）３０６を含む１つの出力段を有する。しかし、このことは、どのように１つのレーザー装置が１つの変調電流及び１つのデータ信号を受信して１つの光信号を変調できるかの単なる一例であり、これらの点で、本発明の複数の実施形態は限定されない。
【００１９】
このＦＥＴ３０６及び１つのＦＥＴ３０４は１つの電流ミラー回路を構成して、１つの基準電流３０２の大きさにほぼ比例する１つの大きさを有する変調電流３１６を発生する。従って、変調電流３１６の大きさは基準電流３０２の１つのほぼスカラー倍であり、ここで、このスカラー倍は、少なくとも一部において（例えば、１つのＣＭＯＳ実装中に形成する際の）複数のＦＥＴ３０４，３０６の動作及び物理特性に基づく。基準電流３０２を、例えば、１つの外部抵抗（図示せず）にわたって適用された１つの制御電圧源（図示せず）により発生できる。外部抵抗に対して１つの特定の抵抗値を選択することにより変調電流３１６を（基準電流３０２に応答して変調電流３１６を発生する）電流ミラーの所定のスカラー倍に設定できる。しかし、このことは、１つのレーザードライバ回路に入力される１つの基準電流を決定する単なる一例であり、この点で、本発明の複数の実施形態は限定されない。
【００２０】
一実施形態によれば、１つの演算増幅器３１２は、複数のドレイン端子３２０，３１６から負帰還するように複数のＦＥＴ３０４の複数のゲート３１４に結合された１つの出力端子を含む。演算増幅器３１２の出力信号は、それぞれのＦＥＴ３０４，３０６に対する複数のドレイン‐ソース電圧（すなわち、ＦＥＴ３０４の複数の端子３２０，３２２間の電圧と、ＦＥＴ３０６の複数の端子３１６，３１８間の電圧）をほぼ同じに維持できる。従って、結果として生じた電流ミラー回路は、この電流ミラーの１つのＣＭＯＳ実装における複数の短チャネル長にもかかわらず、変調電流３１６を発生する基準電流３０２に対して１つのほぼ線形で予測可能な応答を発生できる。
【００２１】
ドライバ回路３００の電流ミラーは複数のｎチャネルＦＥＴ３０４，３０６を有する。しかし、その他の複数の実施形態による複数のレーザードライバ回路は、本発明から逸脱することなく、複数のｐチャネルＦＥＴを具える１つの電流ミラーを有することができるものとする。
【００２２】
図示した実施形態では、演算増幅器３１２は、複数のドレイン端子３２０，３２８から複数の入力を複数の非反転及び反転入力端子でそれぞれ受信する。１つのキャパシタ３２６を演算増幅器３１２の出力端と複数のＦＥＴ３０４，３０６の複数のゲート３１４とに結合して負帰還ループを安定できる。演算増幅器３１２と関連するゲインと、複数のＦＥＴ３０４，３０６の寸法とに基づいて負帰還ループの位相シフトを１つの位相余裕内（例えば、６０°以上）に維持するようにキャパシタ３２６の静電容量を選択できる。しかし、このことは、１つの負帰還ループを安定化する１つのキャパシタの寸法を設定する単なる一例であり、これらの点で、本発明の複数の実施形態は限定されない。
【００２３】
１つの初期状態では、ＦＥＴ３０４もＦＥＴ３０６も、１つの「ロックアップ」状態を防ぐのに充分な電流を持たない可能性がある。一実施形態によれば、１つのスタートアップ回路（図示せず）を用いて、定常状態の安定性に到達するまで、１つの最小電圧組を複数のＦＥＴ３０４，３０６の複数のゲート端子３１４に印加することにより負帰還ループを初期化できる。（例えば、複数のゲート端子３１４にゲート電圧で）定常状態に到達すると、スタートアップ回路を使用不能にできる。
【００２４】
現在考えられる本発明の複数の実施形態を図示し、説明したが、本発明の真の範囲を逸脱することなく、複数の当業者により様々なその他の変形例を構成し、複数の同等物を代替できることに注意すべきである。その上、ここで説明した主要な発明概念を逸脱することなく、多数の変形例を構成して１つの特定の状況を本発明の複数の教示に適合できる。
従って、本発明は、開示した特定の複数の実施形態に限定されないが、本発明は、請求項の範囲内に収まるすべての複数の実施形態を含むものとする。
【図面の簡単な説明】
【００２５】
【図１】１つの変調電流を１つのレーザー装置に供給する１つの従来技術のレーザードライバ回路を示す１つの概略図である。
【図２】本発明の一実施形態により１つの光伝送媒体に複数のデータを送信し、この光伝送媒体から複数のデータを受信する１つのシステムを示す概略図である。
【図３】図２に示す装置の一実施形態による１つのデータ伝送システムの複数の物理媒体接続及び物理媒体依存部分を示す１つの概略図である。
【図４】図３に示す物理媒体依存部分の一実施形態による１つのレーザードライバ回路を示す１つの概略図である。
【図１】
2005532764.tif 000003
【図２】
2005532764.tif 000004
【図３】
2005532764.tif 000005
【図４】
2005532764.tif 000006
【手続補正書】
【提出日】平成17年7月29日(2005.7.29)
【手続補正１】
【補正対象書類名】特許請求の範囲
【補正対象項目名】全文
【補正方法】変更
【補正の内容】
【特許請求の範囲】
【請求項１】
ドライバ回路であって、
変調電流をレーザー装置に供給する出力段と、
基準電流に応答して前記変調電流を発生する電流ミラー回路と
を備え、前記電流ミラー回路が、
前記基準電流を受信する第１トランジスタと、
前記第１トランジスタに結合されて前記変調電流を発生する第２トランジスタと、
前記第１及び第２トランジスタの一方のゲート端子に結合された出力端子を具える演算増幅器と
を備える、ドライバ回路。
【請求項２】
前記第１トランジスタは前記基準電流をドレイン端子で受信し、
前記第２トランジスタはドレイン端子に前記変調電流を発生し、
前記演算増幅器は、前記第１及び第２トランジスタから供給される差分信号に応答して出力信号を前記出力端子で発生して、前記第１及び第２トランジスタのゲート端子に供給する
請求項１に記載のドライバ回路。
【請求項３】
前記演算増幅器が、
前記第１トランジスタのソース端子及びドレイン端子の一方に結合された第１入力端子と、
前記第２トランジスタのソース端子及びドレイン端子の一方に結合された第２入力端子と
を更に備える、請求項１に記載のドライバ回路。
【請求項４】
前記第１入力端子は前記演算増幅器の非反転入力端子であり、前記第２入力端子は前記演算増幅器の反転入力端子である、請求項３に記載のドライバ回路。
【請求項５】
前記第１及び第２トランジスタのゲート端子並びに前記演算増幅器の出力端子に接続され、負帰還ループを安定させるキャパシタを更に備える、
請求項３に記載のドライバ回路。
【請求項６】
前記キャパシタの静電容量は、前記演算増幅器と関連するゲインと、前記第１及び第２トランジスタの寸法とに基づいて負帰還ループの位相シフトを位相余裕内に維持するように選択される、請求項５に記載のドライバ回路。
【請求項７】
前記電流ミラー回路は、前記基準電流の大きさにほぼ比例する大きさを有する前記変調電流を発生する、請求項１に記載のドライバ回路。
【請求項８】
前記第１及び第２トランジスタの複数のソース‐ドレイン電圧が、前記演算増幅器の出力に応答してほぼ一致する、請求項１に記載のドライバ回路。
【請求項９】
前記ドライバ回路は、単独の相補型金属酸化半導体（ＣＭＯＳ）装置内に形成される、請求項１に記載のドライバ回路。
【請求項１０】
システムであって、
並列データ信号に応答して直列データ信号を発生するシリアライザと、
光伝送媒体に結合されて、前記直列データ信号及び変調電流に応答して光信号を前記光伝送媒体に送信するのに適するレーザー装置と、
基準電流に応答して前記変調電流を発生するドライバ回路と
を備え、前記ドライバ回路が、
前記基準電流を受信する第１トランジスタと、
前記第１トランジスタに結合されて前記変調電流を発生する第２トランジスタと、
前記第１及び第２トランジスタのゲート端子に結合された出力端子を具える演算増幅器と
を備える、システム。
【請求項１１】
前記並列データ信号を発生するＳＯＮＥＴフレーマを更に備える、請求項１０に記載のシステム。
【請求項１２】
前記ＳＯＮＥＴフレーマに結合されたスイッチファブリックを更に備える、請求項１１に記載のシステム。
【請求項１３】
前記並列データ信号を媒体独立インターフェースで発生するイーサネットＭＡＣを更に備える、請求項１０に記載のシステム。
【請求項１４】
前記イーサネットＭＡＣに結合された多重化データバスを更に備える、請求項１３に記載のシステム。
【請求項１５】
前記イーサネットＭＡＣに結合されたスイッチファブリックを更に備える、請求項１３に記載のシステム。
【請求項１６】
複数の前記第１及び第２トランジスタの複数のゲート端子がキャパシタに結合されている、請求項１０に記載のシステム。
【請求項１７】
前記演算増幅器が、
前記第１トランジスタのソース端子及びドレイン端子の一方に結合された第１入力端子と、
前記第２トランジスタのソース端子及びドレイン端子の一方に結合された第２入力端子と
を更に備える、請求項１０に記載のシステム。
【請求項１８】
前記第１及び第２トランジスタの複数のソース‐ドレイン電圧が、前記演算増幅器の出力に応答してほぼ一致する、請求項１０に記載のシステム。
【請求項１９】
方法であって、
基準電流を電流ミラー回路の第１トランジスタで受信する段階と、
前記基準電流に応答して前記電流ミラー回路の第２トランジスタから変調電流を発生する段階と、
演算増幅器の出力信号を前記第１及び第２トランジスタの一方のゲート端子に供給する段階と、
データ信号及び前記変調電流に応答して光伝送媒体内の光信号を変調する段階と
を備える、方法。
【請求項２０】
キャパシタを複数の前記第１及び第２トランジスタのゲート端子に結合する段階を更に備える、請求項１９に記載の方法。
【請求項２１】
前記演算増幅器への第１入力を前記第１トランジスタのソース端子及びドレイン端子の一方から発生する段階と、
前記演算増幅器への第２入力を前記第２トランジスタのソース端子及びドレイン端子の一方から発生する段階と
を更に備える、請求項１９に記載の方法。
【請求項２２】
前記演算増幅器の前記出力信号に応答してほぼ一致した前記第１及び第２トランジスタのソース‐ドレイン電圧を維持する、請求項１９に記載の方法。
【請求項２３】
装置であって、
基準電流を電流ミラー回路の第１トランジスタで受信する手段と、
前記基準電流に応答して前記ミラー回路の第２トランジスタから変調電流を発生する手段と、
演算増幅器の出力信号を前記第１及び第２トランジスタの一方のゲート端子に供給する手段と、
データ信号及び前記変調電流に応答して光伝送媒体内の光信号を変調する手段と
を備える、装置。
【手続補正２】
【補正対象書類名】明細書
【補正対象項目名】０００２
【補正方法】変更
【補正の内容】
【０００２】
光ファイバーケーブルのような１つの光伝送媒体における複数のデータの送信は、ＩＥＥＥ‐Ｐ８０２．３ａｅと、国際電気通信連合（ＩＴＵ）により刊行された同期光ネットワーク／同期デジタルハイアラーキ（ＳＯＮＥＴ／ＳＤＨ）とで述べる複数のデータ伝送規格に従って１０ギガビット／秒及びそれを超える複数のデータ速度における通信を使用可能にしている。複数のデータを光伝送媒体内に送信するため、１つのレーザー装置が、波分割多重化（ＷＤＭ）を用いて１つのデータ信号に応答して１つの光信号を典型的に変調する。なお、本出願の国際調査、又は対応米国出願の米国での審査において、下記の特許文献及び非特許文献が発見されている。
【特許文献１】欧州特許出願公開第７５６３６２号明細書
【特許文献２】米国特許第６１９４９６７号明細書
【特許文献３】米国特許第６３５６３７４号明細書
【特許文献４】米国特許第６１８１１９５号明細書
【特許文献５】米国特許第６３１６９８７号明細書
【特許文献６】米国特許第６３８９０５０号明細書
【特許文献７】米国特許第６３９２２１５号明細書
【特許文献８】米国特許第６５３２２４５号明細書
【特許文献９】米国特許第６５８７４８９号明細書
【非特許文献１】Behzad Razavi "Design of Analog CMOS Integrated Circuits ", 2001, pp. 393 and 394
【非特許文献２】IEEE P802.3ae, Apr. 15, 2002, clauses 46-48
【手続補正３】
【補正対象書類名】明細書
【補正対象項目名】００２４
【補正方法】変更
【補正の内容】
【００２４】
現在考えられる本発明の複数の実施形態を図示し、説明したが、本発明の真の範囲を逸脱することなく、複数の当業者により様々なその他の変形例を構成し、複数の同等物を代替できることに注意すべきである。その上、ここで説明した主要な発明概念を逸脱することなく、多数の変形例を構成して１つの特定の状況を本発明の複数の教示に適合できる。
従って、本発明は、開示した特定の複数の実施形態に限定されないが、本発明は、請求項の範囲内に収まるすべての複数の実施形態を含むものとする。なお、前記演算増幅器が、前記第１トランジスタの１つのソース端子及び１つのドレイン端子の一方に結合された１つの第１入力端子と、前記第２トランジスタの１つのソース端子及び１つのドレイン端子の一方に結合された１つの第２入力端子とを更に備える。１つのシステムであって、１つの並列データ信号に応答して１つの直列データ信号を発生する１つシリアライザと、１つの光伝送媒体に結合されて、前記直列データ信号及び１つの変調電流に応答して１つの光信号を前記光伝送媒体に送信するのに適する１つのレーザー装置と、１つの基準電流に応答して前記変調電流を発生する１つのレーザードライバ回路とを備え、前記レーザードライバ回路が、前記基準電流を受信する１つの第１トランジスタと、前記第１トランジスタに結合されて前記変調電流を発生する１つの第２トランジスタと、複数の前記第１及び第２トランジスタの一方の１つのゲート端子に結合された１つの出力端子を具える１つの演算増幅器とを備える。１つの方法であって、前記演算増幅器への１つの第１入力を前記第１トランジスタの１つのソース端子及び１つのドレイン端子の一方から発生する段階と、前記演算増幅器への１つの第２入力を前記第２トランジスタの１つのソース端子及び１つのドレイン端子の一方から発生する段階とを更に備える。
【国際調査報告】
2005532764.tif 000007
2005532764.tif 000008
2005532764.tif 000009